(57)【要約】ディスペンサであって、ディスペンサはディスペンサヘッド（２）と、スプレー剤を含む容器（１）とを有し、容器（１）は格納部と付属部（５）とを有し、付属部（５）はねじ部（６）と非ねじ部（７）とを有し、ねじ部（６）は非ねじ部（７）より大きい口径を有し、ねじ部（６）は非ねじ部（７）と格納部との間にあり、スプレーヘッドは付属部（５）を補完するよう形成され、スプレーヘッドのねじ部は付属部のねじ部（６）と係合し、付属部（５）の非ねじ部（７）は付属部（５）のねじ部（６）よりディスペンサヘッド（２）のさらに内側にあり、ディスペンサは、容器がディスペンサヘッド（２）に嵌合するときスプレー剤が付属部（５）を通ってディスペンサヘッド（２）に移動し、ディスペンサを出てスプレーとして大気中に入れるよう形成される、ディスペンサ。
2005527440.tif 000002
【特許請求の範囲】
【請求項１】
ディスペンサであって、前記ディスペンサはディスペンサヘッド、およびスプレー剤を収容する容器を有し、
前記容器は格納部および付属部を有し、前記付属部はねじ部および非ねじ部を有し、前記ねじ部は前記非ねじ部より大きい口径を有し、前記ねじ部は前記非ねじ部および前記格納部の間にあり、
前記ディスペンサヘッドは前記付属部を補完するよう形成されて、前記スプレーヘッドのねじ部は前記付属部の前記ねじ部と係合し、前記付属部の前記非ねじ部は前記付属部の前記ねじ部よりさらに前記ディスペンサヘッドの内側にあり、
前記ディスペンサは、前記容器が前記ディスペンサヘッドに嵌合するとき前記スプレー剤が前記付属部を通って前記ディスペンサヘッドに移動し、前記ディスペンサを出てスプレーとして大気中に入れるよう形成される、ディスペンサ。
【請求項２】
前記付属部の前記非ねじ部と前記ねじ部とはほぼ同じ長さである、請求項１に記載のディスペンサ。
【請求項３】
前記付属部は前記格納部から延在してほぼ台座の形状である、請求項１または２に記載のディスペンサ。
【請求項４】
前記付属部の前記非ねじ部は台地状の突起で終端する、請求項１、２または３に記載のディスペンサ。
【請求項５】
前記付属部はバルブの一部である、請求項１から４のいずれかに記載のディスペンサ。
【請求項６】
前記容器は前記付属部を囲んで前記付属部を実質的に保護する壁を有する、請求項１から５のいずれかに記載のディスペンサ。
【請求項７】
前記ディスペンサは所定の時間間隔で自動的にスプレーを噴出することができる、請求項１から６のいずれかに記載のディスペンサ。
【請求項８】
ディスペンサヘッドは、ディスペンサヘッドへのスプレー剤の流れを促進するために前記容器内に延在するアクチュエータを有する、請求項１から７のいずれかに記載のディスペンサ。
【請求項９】
前記スプレー剤は前記容器内で液体状である、請求項１から８のいずれかに記載のディスペンサ。
【発明の詳細な説明】
【技術分野】
【０００１】
発明の分野
この発明はディスペンサに関する。
【背景技術】
【０００２】
背景
スプレー剤を、ある時間間隔で大気中に自動的に放出するのにディスペンサを使用することは既知である。ディスペンサは、スプレー剤容器に嵌合するディスペンサヘッドから構成される。スプレー剤は、容器内からスプレーヘッドに移動し、次いでスプレーとして大気中に放出される。スプレー剤は、空気清浄剤、消毒剤、殺虫剤、または他の適切な物質である。スプレー剤がなくなると、容器はスプレーヘッドから取除かれて詰替えられるか、またはスプレーヘッドと共に交換される。
【発明の開示】
【発明が解決しようとする課題】
【０００３】
多くの既知のディスペンサの問題点は、スプレーヘッドと容器との結合が、望ましくないが破損に弱いことである。したがって、本発明の少なくとも１つの形態の目的は、少なくともこの問題の解決の方向に進み、または少なくとも公衆に有益な選択肢を提供することである。
【０００４】
本明細書中で、「構成する」「構成される」または「構成している」という用語が使われている場合は、非限定的、すなわち「含む、または、包含する」ことを意味するというように、非限定的に解釈されるべきである。
【課題を解決するための手段】
【０００５】
一般的説明
本発明の１つの局面によれば、ディスペンサが提供され、ディスペンサはディスペンサヘッドとスプレー剤を含む容器とを有し、
容器は格納部と付属部とを有し、付属部はねじ部と非ねじ部とを有し、ねじ部は非ねじ部より大きい直径を有し、ねじ部は非ねじ部と格納部との間にあり、
スプレーヘッドは付属部を補完するよう形成されて、ディスペンサヘッドのねじ部は付属部のねじ部と係合し、付属部の非ねじ部は付属部のねじ部よりディスペンサヘッドのさらに内側にあり、
ディスペンサは、容器がディスペンサヘッドに嵌合されるとスプレー剤が付属部を通ってディスペンサヘッドに移動し、ディスペンサを出てスプレーとして大気中に入れるよう、形成される。
【０００６】
好ましくは、付属部の非ねじ部とねじ部とはほぼ同じ長さである。
【０００７】
好ましくは付属部は、格納部から延在するほぼ台座の形状である。
【０００８】
好ましくは付属部の非ねじ部は、突起で終端し、突起は任意で小さい台地状である。
【０００９】
好ましくは付属部はバルブの一部である。
【００１０】
好ましくは容器は壁を有し、壁は任意で環状であって、付属部を実質的に保護するように付属部を囲む。
【００１１】
好ましくはディスペンサは、所定の時間間隔で自動的にスプレーを噴出することができる。
【００１２】
好ましくはディスペンサヘッドは、ディスペンサヘッドへのスプレー剤の流れを促進するために容器内に延在するアクチュエータを有する。
【００１３】
好ましくはスプレー剤は、容器内で液体状である。
【００１４】
本発明のいくつかの好ましい局面が、例によって、および付随する図面を参照して説明される。
【発明を実施するための最良の形態】
【００１５】
詳細な説明
図１を参照すると、容器１とスプレーディスペンサヘッド２とを有するスプレーディスペンサが示される。図３に示すように、容器１とディスペンサヘッド２とは、着脱可能に互いに係合する。この係合関係は、図２の拡大図で示す。
【００１６】
図３を参照すると、容器１はバルブ４を内蔵する。バルブは台座５の形状の付属部を有する。台座はねじ部６と、末端に非ねじ部７とを有し、各々がほぼ同じ長さである。図示するように、ねじ部６は非ねじ部７よりわずかに大きい直径を有する。壁８は環状で台座の周囲に延在し、台座に保護手段を与える。さらに、台座の非ねじ部７は、隆起部または突起９で終端し、好ましくは小さい台地状である。
【００１７】
台座と係合する、ディスペンサヘッド２の下部１０を図４に示す。より具体的には下部１０は、台座５を受入れるための凹部１２を有する下向きのステム１１を有する。ここでステム１１は、台座５のねじ部６および非ねじ部７をそれぞれ補完する、ねじ部１３および非ねじ部１４を有する。台座５とステム１１とのねじ部はこのように互いに係合し、台座の非ねじ部７はステムの非ねじ部１４に嵌合する。
【００１８】
図４をさらに参照するとディスペンサヘッドは、台座５を貫通してスプレー剤が容器１からスプレーヘッド２へと移動するための導管を提供する、アクチュエータ１５を含む。
【００１９】
本発明の利点は、少なくともある好ましい実施例において、容器１とディスペンサヘッド２とが螺合される前に、台座５が容器１を必ずディスペンサヘッド２に導くことである。多くの既知の配置では、ディスペンサに対して容器を配することは容易ではなく、結果としてねじ部を破損しかねない。さらに、台座５のねじ部６は壁８の最上部よりも下に位置しているので、ねじ部は有意に保護される。
【００２０】
当業者は、ここに記載された本発明により、容器１内のスプレー剤がなくなると、ディスペンサヘッド２から容器を汚さずに容易に取除くことが促進されるのを理解するであろう。さらに本発明の利用により、未承認の容器はディスペンサヘッド２に嵌合しにくくなることが理解される。これは有利である。なぜなら未承認容器の内容物はディスペンサヘッドを破損しかねないからである。
【００２１】
本発明は、容器１をディスペンサヘッド２に正確に嵌合することを促進するよう形成される。台座５のねじ部６と非ねじ部７との異なる直径の組合せは、容器１がディスペンサヘッド２に必要以上に捩じ込まれるのを防止することを助ける。このように、台座５とディスペンサヘッド２との接触の望ましくない形態が回避できる。この配置はさらに、バルブ４内のアクチュエータ１５の最適な位置の決定を促進する。従来のディスペンサの問題
点は、アクチュエータがバルブまたは容器の中に深く貫通しすぎて、結果的に容器の内容物が漏れ出す傾向があったことである。逆に、従来のいくつかのディスペンサで起こり得るように、貫通の深さが不十分な場合、容器のバルブは容器の中身に届くほど開かない。
【００２２】
本発明のいくつかの実施例は、ディスペンサヘッドに対して容器を締付けすぎることによるバルブ４の頂上部の破損をなくす。これは有利である。なぜなら、締付けすぎるとバルブ４が押し潰され破損する可能性があるからである。
【００２３】
好ましくは本発明のディスペンサは、内容物がなくなると、すなわちバルブ４を介して容器１が詰替え可能なように形成される。
【００２４】
ディスペンサは、好ましくは電子部品などを有する自動型であり、ある時間間隔で大気中にスプレー剤の噴霧を放出するよう、所定場所に放置できる。好ましくは本発明はエアゾールタイプのスプレーを出すのに使用されるが、非エアゾールタイプのスプレーに関して使用されてもよい。
【００２５】
本発明の好ましい形態が例を用いて記載されたが、付随する請求項の範囲から逸脱することなく改良および変形がなされてもよい。
【図面の簡単な説明】
【００２６】
【図１】ディスペンサヘッドと容器とを含むディスペンサを示す図である。
【図２】ディスペンサヘッドと容器との結合を示す断面図である。
【図３】容器の一部の付属部の詳細を示す図である。
【図４】図３の付属部を補完する、容器頭部の一部の詳細を示す図である。
【図１】
2005527440.tif 000003
【図２】
2005527440.tif 000004
【図３】
2005527440.tif 000005
【図４】
2005527440.tif 000006
【手続補正書】
【提出日】平成16年4月13日(2004.4.13)
【手続補正１】
【補正対象書類名】特許請求の範囲
【補正対象項目名】全文
【補正方法】変更
【補正の内容】
【特許請求の範囲】
【請求項１】
ディスペンサであって、前記ディスペンサはディスペンサヘッドおよび、スプレー剤を収容する容器を有し、
前記容器は格納部および付属部を有し、前記付属部はねじ部および非ねじ部を含み、前記ねじ部は前記非ねじ部より大きい口径を有し、前記ねじ部は前記非ねじ部および前記格納部の間にあり、
前記ディスペンサヘッドは前記付属部を補完するよう形成されて、前記ディスペンサヘッドのねじ部は前記付属部の前記ねじ部と係合し、前記付属部の前記非ねじ部は前記付属部の前記ねじ部よりさらに前記ディスペンサヘッドの内側にあり、
前記ディスペンサを前記容器が前記ディスペンサヘッドに嵌合した状態で使用するとき、前記ディスペンサはスプレー剤を所定の時間間隔で自動放出が可能であり、前記スプレー剤が前記付属部を通って前記ディスペンサヘッドに移動し、前記ディスペンサを出てスプレーとして大気中に入るよう形成される、ディスペンサ。
【請求項２】
前記付属部の前記非ねじ部と前記ねじ部とはほぼ同じ長さである、請求項１に記載のディスペンサ。
【請求項３】
前記付属部は前記格納部から延在してほぼ台座の形状である、請求項１または２に記載のディスペンサ。
【請求項４】
前記付属部の前記非ねじ部は台地状の突起で終端する、請求項１、２または３に記載のディスペンサ。
【請求項５】
前記付属部はバルブの一部である、請求項１から４のいずれかに記載のディスペンサ。
【請求項６】
前記容器は前記付属部を囲んで前記付属部を実質的に保護する壁を有する、請求項１から５のいずれかに記載のディスペンサ。
【請求項７】
ディスペンサヘッドは、ディスペンサヘッドへのスプレー剤の流れを促進するために前記容器内に延在するアクチュエータを有する、請求項１から６のいずれかに記載のディス
ペンサ。
【請求項８】
前記スプレー剤は前記容器内で液体状である、請求項１から７のいずれかに記載のディスペンサ。
【請求項９】
前記スプレー剤はエアゾールスプレー剤である、請求項１から８のいずれかに記載のディスペンサ。
【国際調査報告】
2005527440.tif 000007
2005527440.tif 000008